(57)【特許請求の範囲】
【請求項１】
入力映像信号に基づき各画素の輝度レベルに対応したｋ個（ｋは２以上の整数）の画素駆動電圧を生成して表示パネルに供給するｋ個の出力チャンネルを有するドライバを備えた表示装置であって、
前記入力映像信号に基づく前記画素各々の輝度レベルを夫々個別に示す複数の画素データ片の各々に、その画素データ片に対応した前記出力チャンネルをイネーブル状態に設定するのか又はディスエーブル状態に設定するのかを指定する出力チャンネルビットを連結して構成した画像データ信号を前記ドライバに供給する制御部を有し、
前記ドライバは、前記画像データ信号に含まれるｋ個の前記出力チャンネルビットに基づき、前記ｋ個の前記出力チャンネルのうちで前記ディスエーブル状態に指定された出力チャンネルをディスエーブル状態に設定すると共に、前記イネーブル状態に指定された出力チャンネルをイネーブル状態に設定し、
前記ドライバは、
前記画像データ信号に含まれる前記画素データ片の系列を順次取り込み、前記ｋ個の前記出力チャンネルの各々に対応したｋ個の前記画素データ片を第１の画素データ群として出力するシフトレジスタと、
前記第１の画素データ群における前記ｋ個の前記画素データ片各々のうちで前記出力チャンネルビットによって前記ディスエーブル状態に指定された出力チャンネルに対応した画素データ片を、その画素データ片にて示される輝度レベルの値を所定の固定値に置き換えて得たｋ個の前記画素データ片を第２の画素データ群として出力する出力チャンネル設定部と、
前記第２の画素データ群における前記ｋ個の前記画素データ片の各々を、夫々が表す輝度レベルに対応したｋ個の階調電圧に変換する階調電圧変換部と、
前記ｋ個の前記階調電圧を増幅して得られた電圧値の各々を前記画素駆動電圧として生成する出力アンプと、を有することを特徴とする表示装置。
【請求項２】
前記ドライバは、前記画像データ信号に含まれる前記画素データ片の各々に連結している前記出力チャンネルビットを順次抽出することを特徴とする請求項１記載の表示装置。
【請求項３】
表示パネルの各画素の輝度レベルに対応したｋ個（ｋは２以上の整数）の画素駆動電圧を生成して前記表示パネルに供給するｋ個の出力チャンネルを有するドライバの制御方法であって、
入力映像信号に基づき前記画素各々の輝度レベルを夫々個別に示す複数の画素データ片からなる系列を生成し、
前記画素データ片の各々に、その画素データ片に対応した前記出力チャンネルをイネーブル状態に設定するのか又はディスエーブル状態に設定するのかを指定する出力チャンネルビットを連結して構成した画像データ信号を前記ドライバに供給し、
前記画像データ信号に含まれる前記画素データ片の系列を順次取り込み、前記ｋ個の前記出力チャンネルの各々に対応したｋ個の前記画素データ片を第１の画素データ群として出力し、
前記第１の画素データ群における前記ｋ個の前記画素データ片各々のうちで前記出力チャンネルビットによって前記ディスエーブル状態に指定された出力チャンネルに対応した画素データ片を、その画素データ片にて示される輝度レベルの値を所定の固定値に置き換えて得たｋ個の前記画素データ片を第２の画素データ群として出力し、
前記第２の画素データ群における前記ｋ個の前記画素データ片の各々を、夫々が表す輝度レベルに対応したｋ個の階調電圧に変換し、
前記ｋ個の前記階調電圧を増幅して得られた電圧値の各々を前記画素駆動電圧として生成することを特徴とするドライバの制御方法。
【発明の詳細な説明】
【技術分野】
【０００１】
本発明は、表示装置、特に表示パネルを駆動するドライバを備えた表示装置及び表示ドライバの制御方法に関する。
【背景技術】
【０００２】
液晶パネル、有機ＥＬ（Electro Luminescence）パネル等の表示パネルには、入力映像信号に基づき各画素の輝度レベルに対応した複数の階調電圧を生成して表示パネルのデータラインに供給する複数の出力チャンネルを有するデータドライバが設けられている。
【０００３】
また、近年、表示パネルの各種の解像度に対応させる為にこのようなデータドライバとして、オプションピンによる外部設定によって、有効となる出力チャンネルの数を変更できるようにしたものが提案されている（例えば、特許文献１参照）。
【先行技術文献】
【特許文献】
【０００４】
【特許文献１】特開２００５−１７３５９１号公報
【発明の概要】
【発明が解決しようとする課題】
【０００５】
ところで、上記したデータドライバでは、有効とする出力チャンネルの数を変更できるものの、その出力チャンネルの位置は固定である。よって、表示パネルにデータドライバを設置するにあたり、データドライバの各出力チャンネルの出力端子と、表示パネルの各データラインとを接続する配線が猥雑になる場合があった。また、製品出荷前に、データドライバに対して、オプションピンによる外部設定を人手作業によって施しておかなければならないので、製造に手間が掛かるという問題があった。
【０００６】
本発明は、表示パネルと接続する配線経路を短くすることが可能であり、且つ製造が容易な表示装置及び表示ドライバの制御方法を提供することを目的とする。
【課題を解決するための手段】
【０００７】
本発明に係る表示装置は、入力映像信号に基づき各画素の輝度レベルに対応したｋ個（ｋは２以上の整数）の画素駆動電圧を生成して表示パネルに供給するｋ個の出力チャンネルを有するドライバを備えた表示装置であって、前記入力映像信号に基づく前記画素各々の輝度レベルを夫々個別に示す複数の画素データ片の各々に、その画素データ片に対応した前記出力チャンネルをイネーブル状態に設定するのか又はディスエーブル状態に設定するのかを指定する出力チャンネルビットを連結して構成した画像データ信号を前記ドライバに供給する制御部を有し、前記ドライバは、前記画像データ信号に含まれるｋ個の前記出力チャンネルビットに基づき、前記ｋ個の前記出力チャンネルのうちで前記ディスエーブル状態に指定された出力チャンネルをディスエーブル状態に設定すると共に、前記イネーブル状態に指定された出力チャンネルをイネーブル状態に設定し、前記ドライバは、前記画像データ信号に含まれる前記画素データ片の系列を順次取り込み、前記ｋ個の前記出力チャンネルの各々に対応したｋ個の前記画素データ片を第１の画素データ群として出力するシフトレジスタと、前記第１の画素データ群における前記ｋ個の前記画素データ片各々のうちで前記出力チャンネルビットによって前記ディスエーブル状態に指定された出力チャンネルに対応した画素データ片を、その画素データ片にて示される輝度レベルの値を所定の固定値に置き換えて得たｋ個の前記画素データ片を第２の画素データ群として出力する出力チャンネル設定部と、前記第２の画素データ群における前記ｋ個の前記画素データ片の各々を、夫々が表す輝度レベルに対応したｋ個の階調電圧に変換する階調電圧変換部と、前記ｋ個の前記階調電圧を増幅して得られた電圧値の各々を前記画素駆動電圧として生成する出力アンプと、を有する。
また、本発明に係るドライバの制御方法は、表示パネルの各画素の輝度レベルに対応したｋ個（ｋは２以上の整数）の画素駆動電圧を生成して前記表示パネルに供給するｋ個の出力チャンネルを有するドライバの制御方法であって、入力映像信号に基づき前記画素各々の輝度レベルを夫々個別に示す複数の画素データ片からなる系列を生成し、前記画素データ片の各々に、その画素データ片に対応した前記出力チャンネルをイネーブル状態に設定するのか又はディスエーブル状態に設定するのかを指定する出力チャンネルビットを連結して構成した画像データ信号を前記ドライバに供給し、前記画像データ信号に含まれる前記画素データ片の系列を順次取り込み、前記ｋ個の前記出力チャンネルの各々に対応したｋ個の前記画素データ片を第１の画素データ群として出力し、前記第１の画素データ群における前記ｋ個の前記画素データ片各々のうちで前記出力チャンネルビットによって前記ディスエーブル状態に指定された出力チャンネルに対応した画素データ片を、その画素データ片にて示される輝度レベルの値を所定の固定値に置き換えて得たｋ個の前記画素データ片を第２の画素データ群として出力し、前記第２の画素データ群における前記ｋ個の前記画素データ片の各々を、夫々が表す輝度レベルに対応したｋ個の階調電圧に変換し、前記ｋ個の前記階調電圧を増幅して得られた電圧値の各々を前記画素駆動電圧として生成する。
【発明の効果】
【０００８】
本発明においては、表示パネルを駆動するドライバのｋ個の出力チャンネルを夫々個別にイネーブル又はディスエーブル状態に指定する出力チャンネルデータを含む画像データ信号をドライバに供給する。ドライバは、通常の動作中において、画像データ信号に含まれる出力チャンネルデータに基づき、自身のｋ個の出力チャンネルを夫々個別にイネーブル状態又はディスエーブル状態に設定する。
【０００９】
かかる構成によれば、ドライバに対して、有効化する出力チャンネルの数及び位置を任意の数及び位置に設定することができるので、ドライバの各出力端子と表示パネルの各データラインとを接続するにあたり、その配線の経路を最短化することが可能となる。また、出力チャンネルの数及び位置を設定する為の専用のオプションピン又は制御ラインが不要となり、且つ人手による設定作業も不要となるので、装置規模の縮小化及び製造の容易化が図られるようになる。
【図面の簡単な説明】
【００１０】
【図１】本発明に係る表示装置１００の概略構成を示すブロック図である。
【図２】メモリ１０に格納されている出力ＣＨデータＥ1〜Ｅkの一例を示す図である。
【図３】画像データ信号ＶＤのフォーマットを示す図である。
【図４】データドライバ１３ａ及び１３ｂの内部構成の一例を示すブロック図である。
【発明を実施するための形態】
【００１１】
図１は、本発明に係る表示装置１００の概略構成を示すブロック図である。表示装置１００は、メモリ１０、駆動制御部１１、走査ドライバ１２、データドライバ１３ａ、１３ｂ及び表示パネル２０を有する。
【００１２】
表示パネル２０は、例えば液晶パネルからなる。表示パネル２０には、液晶層（図示せぬ）と、２次元画面の水平方向に伸張するｍ個（ｍは２以上の整数）の水平走査ラインＳ1〜Ｓmと、２次元画面の垂直方向に伸張するｎ個（ｎは２以上の整数）のデータラインＤ1〜Ｄnとが設けられている。水平走査ライン及びデータラインの交叉部の領域（破線にて示す）には、赤色、緑色又は青色表示を担う画素セルが形成されている。
【００１３】
メモリ１０には、夫々がｋ個（ｋはｎ未満の整数）の出力チャンネルを有するデータドライバ１３ａ及び１３ｂの各々に対応づけして、ｋ個の出力チャンネルを夫々個別にイネーブル及びディスエーブルのうちのいずれの状態に設定するのかを指定する出力ＣＨデータＥ1〜Ｅkが予め格納されている。尚、以降、出力チャンネルをイネーブルの状態に設定することを有効化、ディスエーブルの状態に設定することを無効化とも称する。
【００１４】
図１に示すように、表示パネル２０のデータラインＤ1〜Ｄkをデータドライバ１３ａで駆動し、Ｄk+1〜Ｄnをデータドライバ１３ｂで駆動する場合には、図２に示す出力ＣＨデータＥ1〜Ｅkをメモリ１０に格納しておく。図２に示す一例では、その出力チャンネルを有効化する場合には論理レベル１、無効化する場合には論理レベル０の出力ＣＨデータＥを設定する。尚、無効化する場合に論理レベル１、有効化する場合に論理レベル０の出力ＣＨデータＥを設定するようにしても良い。
【００１５】
駆動制御部１１は、入力映像信号ＶＳから水平同期信号を検出しこれを走査ドライバ１２に供給する。走査ドライバ１２は、駆動制御部１１から供給された水平同期信号に同期したタイミングで水平走査パルスを生成し、これを表示パネル２０の走査ラインＳ1〜Ｓm各々に順次、択一的に印加する。
【００１６】
また、駆動制御部１１は、入力映像信号ＶＳに基づき各画素毎にその画素の輝度レベルを表す画素データブロックＰＤの系列からなる画像データ信号ＶＤを生成する。
【００１７】
図３は、駆動制御１１によって生成される画像データ信号ＶＤのフォーマットの一例を示す図である。図３に示すように、各画素データブロックＰＤは、ヘッダビットＨＢ、クロックパルスＣＰ、出力ＣＨビットＥＢ、輝度データビットｄ０〜ｄ７の系列からなる。
【００１８】
ヘッダビットＨＢは、クロックパルスＣＰの直前に設けられており、このクロックパルスＣＰがポジティブタイプのクロックを表す場合には論理レベル０、ネガティブタイプのクロックを表す場合には論理レベル１の状態に固定されている。尚、図３に示す一例では、クロックパルスＣＰは、矢印にて表されるように立ち上がりエッジ部をクロックタイミングとするポジティブタイプのクロックである。よって、この際、ヘッダビットＨＢは、論理レベル０となる。
【００１９】
駆動制御１１は、画素データブロックＰＤ毎に、その画素データブロックＰＤに対応した画素の出力チャンネルに対応した出力ＣＨデータＥをメモリ１０から読み出す。そして、駆動制御１１は、この出力ＣＨデータＥが有効化を示す場合には論理レベル１、無効化を示す場合には論理レベル０を有する出力ＣＨビットＥＢを、クロックパルスＣＰの直後に配置する。要するに、駆動制御部１１は、出力ＣＨデータＥ1〜Ｅkに基づき各出力チャンネル毎に、その出力チャンネルを有効化するのか又は無効化するのかを示す出力ＣＨビットを生成する。そして、画素データブロックＰＤ毎に、その画素データブロックＰＤに対応した出力チャンネルに対応した出力ＣＨビットＥＢをクロックパルスＣＰの直後に付加するのである。
【００２０】
更に、駆動制御１１は、画素データブロックＰＤ毎に、その画素データブロックＰＤに対応した画素の輝度レベルを８ビットで表す輝度データビットｄ０〜ｄ７を、図３に示すように、出力ＣＨビットＥＢの直後に配置する。
【００２１】
駆動制御部１１は、上記のように生成した画素データブロックＰＤの系列からなる画像データ信号ＶＤを、データドライバ１３ａ及び１３ｂに供給する。
【００２２】
データドライバ１３ａ及び１３ｂは、画像データ信号ＶＤによって表される各画素の輝度レベルに対応した階調電圧値を有する画素駆動電圧を生成する。そして、データドライバ１３ａ及び１３ｂは、かかる画素駆動電圧を１水平走査ライン分、つまりｎ個ずつ、表示パネル２０のデータラインＤ1〜Ｄnに供給する。尚、図１に示す実施例では、データドライバ１３ａがデータラインＤ1〜Ｄnのうちのｋ個のデータラインＤ1〜Ｄkの各々に画素駆動電圧Ｇ1〜Ｇkを供給する。また、データドライバ１３ｂが残りの（ｎ−ｋ）個のデータラインＤk+1〜Ｄnの各々に画素駆動電圧Ｇ1〜Ｇt（ｔはｎ−ｋの整数）を供給する。
【００２３】
データドライバ１３ａ及び１３ｂの各々は単一の半導体チップに形成されており、互いに同一の内部構成を有する。
【００２４】
図４は、データドライバ１３ａ及び１３ｂ各々の内部構成の一例を示すブロック図である。図４に示すように、データドライバ１３ａ及び１３ｂの各々は、シフトレジスタ１３１、ＥＢ抽出部１３２、出力ＣＨ設定部１３３、データラッチ１３４、階調電圧変換部１３５，及び出力アンプ１３６を有する。
【００２５】
シフトレジスタ１３１は、画像データ信号ＶＤにおける各画素データブロックＰＤのクロックパルスＣＰの立ち上がりエッジタイミングにて、画素データブロックＰＤから図３に示す輝度データビットｄ０〜ｄ７を取り込む。シフトレジスタ１３１は、ｋ個の画素データブロックＰＤの各々から輝度データビットｄ０〜ｄ７を取り込む度に、夫々が８ビットの輝度データビットｄ０〜ｄ７にて表される画素データＱ1〜Ｑk（第１の画素データ群）を生成して出力ＣＨ設定部１３３に供給する。
【００２６】
ＥＢ抽出部１３２は、各画素データブロックＰＤから図３に示す出力ＣＨビットＥＢを抽出し、これを順に記憶保持する。この際、出力ＣＨビットＥＢをｋ個記憶保持する度に、ＥＢ抽出部１３２は、これらｋ個の出力ＣＨビットＥＢを、各出力チャンネルに対応した出力ＣＨデータＥ1〜Ｅkとして出力ＣＨ設定部１３３に供給する。すなわち、ＥＢ抽出部１３２は、画像データ信号ＶＤに含まれる出力ＣＨビットＥＢを順次抽出することにより出力ＣＨデータＥ1〜Ｅkを得るのである。
【００２７】
出力ＣＨ設定部１３３は、画素データＱ1〜Ｑkに夫々対応したゲートＧＴ1〜ＧＴkを有する。また、ゲートＧＴ1〜ＧＴkには、出力ＣＨデータＥ1〜Ｅkが夫々に対応づけして供給されている。
【００２８】
ゲートＧＴ1は、出力ＣＨデータＥ1が論理レベル１、つまり出力チャンネルの有効化を示す場合には、画素データＱ1をそのまま画素データＹ1としてデータラッチ１３４に供給する。一方、出力ＣＨデータＥ1が論理レベル０、つまり出力チャンネルの無効化を示す場合には、ゲートＧＴ1は、画素データＱ1の値を所定の固定値に置き換えたものを画素データＹ1としてデータラッチ１３４に供給する。
【００２９】
ゲートＧＴ2は、出力ＣＨデータＥ2が論理レベル１、つまり出力チャンネルの有効化を示す場合には、画素データＱ2をそのまま画素データＹ2としてデータラッチ１３４に供給する。一方、出力ＣＨデータＥ2が論理レベル０、つまり出力チャンネルの無効化を示す場合には、ゲートＧＴ2は、画素データＱ2の値を所定の固定値に置き換えたものを画素データＹ2としてデータラッチ１３４に供給する。
【００３０】
ゲートＧＴ3は、出力ＣＨデータＥ3が論理レベル１、つまり出力チャンネルの有効化を示す場合には、画素データＱ3をそのまま画素データＹ3としてデータラッチ１３４に供給する。一方、出力ＣＨデータＥ3が論理レベル０、つまり出力チャンネルの無効化を示す場合には、ゲートＧＴ3は、画素データＱ3の値を所定の固定値に置き換えたものを画素データＹ3としてデータラッチ１３４に供給する。
【００３１】
以下、同様にしてゲートＧＴ4〜ＧＴkは、出力ＣＨデータＥ4〜Ｅkが出力チャンネの有効化を示す場合には、画素データＱ4〜Ｑkをそのまま画素データＹ4〜Ｙkとしてデータラッチ１３４に供給する。一方、出力ＣＨデータＥ4〜Ｅkが出力チャンネルの無効化を示す場合には、ゲートＧＴ4〜ＧＴkは、画素データＱ4〜Ｑk各々の値を所定の固定値に置き換えたものを画素データＹ4〜Ｙkとしてデータラッチ１３４に供給する。
【００３２】
すなわち、出力ＣＨ設定部１３３は、ｋ個の出力チャンネルのうちで、出力ＣＨデータＥにて有効化に指定された出力チャンネルに対応した画素データＹをそのまま画素データＱとすることにより、この出力チャンネルをイネーブル状態に設定する。一方、出力ＣＨデータＥにて無効化に指定された出力チャンネルに対応した画素データＹに対しては、出力ＣＨ設定部１３３は、これを画素データＱの値に拘わらず、強制的に固定値に置き換えることにより、当該出力チャンネルをディスエーブル状態に設定する。
【００３３】
データラッチ１３４は、出力ＣＨ設定部１３３から供給された画素データＹ1〜Ｙkを取り込み、これらを画素データＰ1〜Ｐkとして階調電圧変換部１３５に供給する。階調電圧変換部１３５は、データラッチ１３４から供給された画素データＰ1〜Ｐkを、夫々の輝度レベルに対応した電圧値を有する階調電圧Ｖ1〜Ｖkに変換する。そして、階調電圧変換部１３５は、階調電圧Ｖ1〜Ｖkを出力アンプ１３６に供給する。出力アンプ１３６は、階調電圧Ｖ1〜Ｖkを夫々個別に増幅することにより画素駆動電圧Ｇ1〜Ｇkを生成する。出力アンプ１３６は、画素駆動電圧Ｇ1〜Ｇkを出力端子Ｔ1〜Ｔkを介して出力する。
【００３４】
この際、出力ＣＨデータＥに基づいて無効化（ディスエーブル）された出力チャンネルは動作停止状態となり、有効化（イネーブル）された出力チャンネルは動作状態となる。これにより、例えば、出力ＣＨデータＥ1が有効化を指定する論理レベル１である場合には出力チャンネル１が動作状態となる。よって、画素データＱ1にて示される輝度レベルに基づき、出力チャンネル１に属する画素データＹ1、Ｐ1、階調電圧Ｖ1、画素駆動電圧Ｇ1及び出力端子Ｔ1各々の値が生成される。一方、出力ＣＨデータＥkが無効化を指定する論理レベル０である場合には出力チャンネルｋが動作停止状態となる。この際、画素データＱkにて示される輝度レベルに拘わらず、出力チャンネルｋに属する画素データＹk、Ｐk、階調電圧Ｖk、画素駆動電圧Ｇk及び出力端子Ｔk各々の値は、所定の固定値に固定される。
【００３５】
ところで、図１に示す実施例では、データドライバ１３ａの全ての出力端子Ｔ1〜Ｔkが、表示パネル２０のｋ個のデータラインＤ1〜Ｄkに夫々接続されている。また、データドライバ１３ｂの全出力端子Ｔ1〜ＴkのうちのＴ1〜Ｔtが表示パネル２０の残りの（ｎ−ｋ）個のデータラインＤk+1〜Ｄnに夫々接続されている。すなわち、データドライバ１３ａでは、全ての出力チャンネル１〜ｋに対応した出力端子Ｔ1〜Ｔkが全て用いられる。一方、データドライバ１３ｂでは、出力チャンネル（ｔ＋１）〜ｋに夫々対応した出力端子Ｔt+1〜Ｔkが未接続、つまり空き端子となる。
【００３６】
そこで、図１に示す表示装置では、データドライバ１３ａに対しては全出力チャンネルを有効化する為に、図２に示すように全てが論理レベル１となる出力ＣＨデータＥ1〜Ｅkを予めメモリ１０に格納しておく。一方、データドライバ１３ｂに対しては、全出力チャンネルのうちの出力チャンネル１〜ｔを有効化し且つ出力チャンネル（ｔ＋１）〜ｋを無効化する為に、図２に示すように論理レベル１の出力ＣＨデータＥ1〜Ｅt、及び論理レベル０の出力ＣＨデータＥt+1〜Ｅkを予めメモリ１０に格納しておく。これにより、データドライバ１３ｂでは、未接続の出力端子Ｔt+1〜Ｔkが例えば０ボルト固定の状態、つまり入力映像信号に関与しない無効化された状態になる。
【００３７】
尚、上記実施例では、データドライバ１３ｂのｋ個の出力チャンネルのうちで出力チャンネル（ｔ＋１）〜（ｋ）を無効化しているが、出力ＣＨデータＥ1〜Ｅkによれば、有効化又は無効化する出力チャンネルの数及び位置を夫々任意の数及び位置に設定できることは明らかである。
【００３８】
以上のように、図１に示す表示装置１００では、先ず、駆動制御部１１が、ｋ個の出力チャンネルを夫々個別に有効化するか又は無効化するのかを示す出力ＣＨデータＥ1〜Ｅkを含む画像データ信号ＶＤを、データドライバ１３ａ及び１３ｂに夫々供給する。この際、各データドライバは、画像データ信号ＶＤに含まれる出力ＣＨデータＥ1〜Ｅkに基づき、自身のｋ個の出力チャンネルを夫々個別に有効化又は無効化する為の設定を行う。
【００３９】
これにより、データドライバ１３ａ及び１３ｂの各々に対して、有効化する出力チャンネルの数及び位置を任意の数及び位置に設定することができる。よって、データドライバの各出力端子と表示パネルの各データラインとを接続するにあたり、その配線の経路を最短化することが可能となる。
【００４０】
また、表示装置１００では、出力ＣＨデータＥ1〜Ｅkを画像データ信号ＶＤに含ませてデータドライバ１３ａ及び１３ｂの各々に供給し、通常の表示動作中において各データドライバ１３ａ及び１３ｂ各々内で各出力チャンネルを個別に有効化又は無効化する設定を行うようにしている。よって、有効化する出力チャンネルの数及び位置を設定する為の専用のオプションピン又は制御ラインが不要となり、且つ人手による設定作業も不要となるので、装置規模の縮小化及び製造の容易化が図られるようになる。
【００４１】
尚、図４に示す実施例では、出力ＣＨ設定部１３３をシフトレジスタ１３１及びデータラッチ１３４間に設けるようにしているが、データラッチ１３４及び階調電圧変換部１３５間に出力ＣＨ設定部１３３を設けるようにしても良い。
【００４２】
要するに、本発明に係る表示装置（１００）としては、以下の制御部（１１）及びドライバ（１３ａ、１３ｂ）を備えたものであれば良いのである。つまり、制御部は、各画素の輝度レベルを示す画素データ片（ＰＤ）の系列と、ｋ個の出力チャンネルの各々に対応づけして出力チャンネルをイネーブル状態に設定（有効化）するのか又はディスエーブル状態に設定（無効化）するのかを指定する出力チャンネルデータ（Ｅ1〜Ｅk）と、を含む画像データ信号（ＶＤ、ＶＣＤ）をドライバに供給する。ドライバは、画像データ信号に含まれる出力チャンネルデータに基づき、ｋ個の出力チャンネルのうちで出力チャンネルデータによってディスエーブル状態に指定された出力チャンネルをディスエーブル状態に設定すると共に、イネーブル状態に指定された出力チャンネルをイネーブル状態に設定するのである。
【符号の説明】
【００４３】
１０              メモリ
１１              駆動制御部
１３ａ、１３ｂ    データドライバ
２０              表示パネル
１３２            ＥＢ抽出部
１３３            出力ＣＨ設定部
【図１】
0006697217.tif 000002
【図２】
0006697217.tif 000003
【図３】
0006697217.tif 000004
【図４】
0006697217.tif 000005